(57)【要約】【課題】局部洗浄装置のノズル装置において、構造の簡素化を図ること。【解決手段】局部洗浄装置２のノズル装置１は、第一位置Ｐ１と第二位置Ｐ２との間を移動可能に設けられ、洗浄水を噴出するノズル６０と、円柱状に形成され、軸線３０ａの周りに第一回転方向Ｗ１および第一回転方向Ｗ１と反対方向の第二回転方向Ｗ２に回転可能に設けられたドラム３０と、第一端側がノズル６０に接続され、かつ、第二端側がドラム３０の外周面３０ｂに接続された帯状のベルト４０と、第一端側がノズル６０に接続され、かつ、第二端側がドラム３０の外周面３０ｂに接続され、洗浄水をノズル６０に供給する管状の給水ホース５０と、を備えている。ベルト４０および給水ホース５０は、ドラム３０が第一回転方向Ｗ１に回転した場合に外周面３０ｂに巻き取られ、ドラム３０が第二回転方向Ｗ２に回転した場合に外周面３０ｂから繰り出されるように配置されている。【選択図】  図１
2019077993.tif 000002
【特許請求の範囲】
【請求項１】
給水源から導入された洗浄水を噴出することにより人体の局部を洗浄する局部洗浄装置のノズル装置であって、
第一位置と前記第一位置より後方の第二位置との間を移動可能に設けられ、前記第一位置に位置する場合に前記洗浄水を噴出するノズルと、
円柱状に形成され、軸線の周りに第一回転方向および前記第一回転方向と反対方向の第二回転方向に回転可能に設けられたドラムと、
前記ドラムを回転させるモータと、
帯状に形成され、第一端側が前記ノズルに接続され、かつ、第二端側が前記ドラムの外周面に接続されるとともに、前記ドラムが前記第一回転方向に回転した場合に前記ドラムの外周面に巻き取られ、前記ドラムが前記第二回転方向に回転した場合に前記ドラムの外周面から繰り出されるように配置されたベルトと、
管状に形成され、第一端側が前記ノズルに接続され、かつ、第二端側が前記ドラムの外周面に接続されるとともに、前記ドラムが前記第一回転方向に回転した場合に前記ドラムの外周面に巻き取られ、前記ドラムが前記第二回転方向に回転した場合に前記ドラムの外周面から繰り出されるように配置され、前記給水源から導入された前記洗浄水を前記ノズルに供給する給水ホースと、を備えている局部洗浄装置のノズル装置。
【請求項２】
前記給水ホースの第二端側の開口部は、前記ドラムの軸線に沿う方向に向けて開口するように設けられている請求項１に記載の局部洗浄装置のノズル装置。
【請求項３】
前記給水ホースの第二端側は、前記ドラムの外周面に接続された位置から前記ドラムの軸線上の位置まで延び、
前記給水ホースの第二端側の開口部は、前記ドラムの軸線上に位置するように設けられている請求項１または請求項２に記載の局部洗浄装置のノズル装置。
【請求項４】
前記ドラムの外周面には、歯車であるピニオン部が一体に形成され、
前記ベルトには、前記ピニオン部と噛み合うラック部が形成されている請求項１乃至請求項３の何れか一項に記載の局部洗浄装置のノズル装置。
【発明の詳細な説明】
【技術分野】
【０００１】
本発明は、局部洗浄装置のノズル装置に関する。
【背景技術】
【０００２】
局部洗浄装置のノズル装置（ノズルユニット）の一形式として、特許文献１に示されているものが知られている。特許文献１の図３乃至図１１に示されているように、局部洗浄装置のノズル装置において、局部洗浄用ノズルを往復動させるラック、および、局部洗浄用ノズルに給水するホースは、収納部の内側にて巻き取られて収容される。
【先行技術文献】
【特許文献】
【０００３】
【特許文献１】特開２００６−２４９８６２号公報
【発明の概要】
【発明が解決しようとする課題】
【０００４】
しかしながら、ラックおよびホースが収納部の内側にて巻き取られるときにおける、ラックの動きとホースの動きとが異なるため、ラックの収納方法とホースの収納方法とが異なる。よって、収納部ひいてはノズル装置の構造が複雑になる。これにより、ノズル装置の部品点数が比較的多くなる場合、ノズル装置のコストが比較的高くなるときがある。
【０００５】
本発明は、上述した問題を解消するためになされたもので、局部洗浄装置のノズル装置において、構造の簡素化を図ることを目的とする。
【課題を解決するための手段】
【０００６】
上記の課題を解決するため、請求項１に係る局部洗浄装置のノズル装置は、給水源から導入された洗浄水を噴出することにより人体の局部を洗浄する局部洗浄装置のノズル装置であって、第一位置と第一位置より後方の第二位置との間を移動可能に設けられ、第一位置に位置する場合に洗浄水を噴出するノズルと、円柱状に形成され、軸線の周りに第一回転方向および第一回転方向と反対方向の第二回転方向に回転可能に設けられたドラムと、ドラムを回転させるモータと、帯状に形成され、第一端側がノズルに接続され、かつ、第二端側がドラムの外周面に接続されるとともに、ドラムが第一回転方向に回転した場合にドラムの外周面に巻き取られ、ドラムが第二回転方向に回転した場合にドラムの外周面から繰り出されるように配置されたベルトと、管状に形成され、第一端側がノズルに接続され、かつ、第二端側がドラムの外周面に接続されるとともに、ドラムが第一回転方向に回転した場合にドラムの外周面に巻き取られ、ドラムが第二回転方向に回転した場合にドラムの外周面から繰り出されるように配置され、給水源から導入された洗浄水をノズルに供給する給水ホースと、を備えている。
【発明の効果】
【０００７】
これによれば、ドラムが第一回転方向に回転した場合、ベルトおよび給水ホースがドラムの外周面に巻き取られる。一方、ドラムが第二回転方向に回転した場合、ベルトおよび給水ホースがドラムの外周面から繰り出される。すなわち、ノズルが第一位置と第二位置との間を移動する場合におけるベルトの動きと給水ホースの動きとが同様であることにより、ベルトの収納方法と給水ホースの収納方法とを同様にできるため、ドラムの形状を簡素化することができる。よって、局部洗浄装置のノズル装置において、構造の簡素化を図ることができる。
【図面の簡単な説明】
【０００８】
【図１】本発明の一実施形態に係る局部洗浄装置のノズル装置の側面図であり、ノズルが第二位置に位置した状態を表している。
【図２】図１に示すII−II線に沿ったノズル装置の断面図である。
【図３】図２に示すIII−III線に沿ったノズル装置の断面図である。
【図４】図１に示す局部洗浄装置のノズル装置の側面図であり、ノズルが第一位置に位置した状態を示している。
【図５】図１に示すノズル装置が適用された局部洗浄装置を示す斜視図である。
【図６】図５に示す本体部のブロック図である。
【発明を実施するための形態】
【０００９】
以下、本発明による局部洗浄装置２（図５参照）のノズル装置１（以下、ノズル装置１ともいう。）の一実施形態について説明する。なお、本明細書においては説明の便宜上、図１における上側および下側をそれぞれノズル装置１の上方および下方とし、同じく左側および右側をそれぞれノズル装置１の前方および後方とし、同じく紙面手前側および紙面奥側を、それぞれノズル装置１の左方および右方として説明する。
【００１０】
局部洗浄装置２のノズル装置１は、給水源Ｓ（後述する）から導入された洗浄水を噴出することにより人体の局部を洗浄するものである。ノズル装置１は、後述する局部洗浄装置２の本体部３に収納されている。ノズル装置１は、図１乃至図４に示すように、ノズルベース１０、モータ２０、ドラム３０、ベルト４０、給水ホース５０およびノズル６０を備えている。
【００１１】
ノズルベース１０は、ノズル６０を移動可能に支持するものである。ノズルベース１０は、図１、図３および図４に示すように、ベース部１１およびガイド部１２を備えている。ベース部１１は、本体部３の内側の底面（図示なし）に取り付けられている。ガイド部１２は、第一方向Ｄ１に沿って延びる筒状に形成されている。第一方向Ｄ１は、前方から後方に向かうにしたがって、下方から上方に向かう方向である。
【００１２】
モータ２０は、ドラム３０を回転させるものである。モータ２０は、図２に示すように、ベース部１１の左側面に固定されている。モータ２０は、例えばステッピングモータである。モータ２０の出力軸２１は、左右方向に沿って、左方に向けて延びるように設けられている。出力軸２１は、後述する第一回転方向Ｗ１および第二回転方向Ｗ２に回転する。
【００１３】
ドラム３０は、図１乃至図４に示すように、円柱状に形成され、軸線３０ａの周りに第一回転方向Ｗ１および第一回転方向Ｗ１と反対方向の第二回転方向Ｗ２に回転可能に設けられたものである。ドラム３０は、軸線３０ａが左右方向に沿うように配置されている。ドラム３０は、ベース部１１の左方にて、モータ２０の出力軸２１と同軸に、モータ２０を内側に収容するように配置されている（図２参照）。ドラム３０は、モータ２０の出力軸２１と一体回転可能に設けられている。第一回転方向Ｗ１は、図１における時計回り方向である。第二回転方向Ｗ２は、図１における反時計回り方向である。
【００１４】
ドラム３０の外周面３０ｂは、同一の円柱面上に配置されるように形成されている。すなわち、ドラム３０の外周面３０ｂは、図２に示すように、軸線３０ａの方向に沿って、同一の径となるように形成されている。このように、ドラム３０の外周面３０ｂは、段差を有さないように形成されている。
【００１５】
ドラム３０の外周面３０ｂには、ドラム３０の径方向外側に向けて突出するように立てられた三つの側壁３１〜３３が、ドラム３０の周方向に沿って延びるように設けられている。側壁３１，３２は、給水ホース５０をガイドするものである。側壁３２，３３は、ベルト４０をガイドするものである。第一の側壁３１と第二の側壁３２との間には、図２に示すように、給水ホース５０が配置される。第二の側壁３２と第三の側壁３３との間には、ベルト４０が配置される。すなわち、ベルト４０と給水ホース５０とは、ドラム３０の外周面３０ｂに、ドラム３０の軸線３０ａの方向に沿って並んで配置される。
【００１６】
また、ドラム３０の外周面３０ｂには、図３に示すように、歯車であるピニオン部３４がドラム３０と一体に形成されている。ピニオン部３４は、第二の側壁３２と第三の側壁３３との間に形成されている。
【００１７】
ベルト４０は、図３に示すように、帯状に形成され、第一端側がノズル６０に接続され、かつ、第二端側がドラム３０の外周面３０ｂに接続されたものである。ベルト４０は、ドラム３０が第一回転方向Ｗ１に回転した場合にドラム３０の外周面３０ｂに巻き取られ、ドラム３０が第二回転方向Ｗ２に回転した場合にドラム３０の外周面３０ｂから繰り出されるように配置されている。ベルト４０は、本実施形態において、樹脂材料によって形成されている。ベルト４０は、幅を一定とする帯状に形成されている。ベルト４０の一方面には、ピニオン部３４と噛み合うラック部４１が形成されている。すなわち、ドラム３０とベルト４０によってラックアンドピニオン機構が構成される。
【００１８】
また、ベルト４０は、ノズル装置１に組み付けられていない状態であって荷重が作用していない場合に、外径がドラム３０の外径より小さく、かつ、ラック部４１を内側とする渦巻状となるように設けられている。これにより、ベルト４０がドラム３０の外周面３０ｂに配置された場合、ベルト４０がドラム３０の外周面３０ｂに巻き付く。
【００１９】
ベルト４０の第一端側は、ノズル６０に接続されている。具体的には、ベルト４０の第一端側の端部がノズル６０に固定されている。一方、ベルト４０の第二端側は、ドラム３０の外周面３０ｂに巻き付いて、ピニオン部３４とラック部４１とが噛み合うことにより、ドラム３０の外周面３０ｂに接続されている。
【００２０】
給水ホース５０は、管状に形成され、第一端側がノズル６０に接続され、かつ、第二端側がドラム３０の外周面３０ｂに接続されるとともに、ドラム３０が第一回転方向Ｗ１に回転した場合にドラム３０の外周面３０ｂに巻き取られ、ドラム３０が第二回転方向Ｗ２に回転した場合にドラム３０の外周面３０ｂから繰り出されるように配置されている。給水ホース５０は、給水源Ｓから導入された洗浄水をノズル６０に供給するものである。
【００２１】
給水ホース５０は、図１、図２および図４に示すように、四つの給水ホース５１〜５４に分割されて構成されている。第一，第三の給水ホース５１，５３は、シリコン等の弾性材料によって屈曲するように形成されている。第二，第四の給水ホース５２，５４は、樹脂材料によって形成されている。
【００２２】
第一の給水ホース５１は、第一端がノズル６０に接続され、第二端が第二の給水ホース５２に接続されている。第一の給水ホース５１は、第一の側壁３１と第二の側壁３２との間にて、ドラム３０の外周面３０ｂに接触して巻き付けられるように配置される。第一の給水ホース５１の第二端側の開口部５１ａは、ドラム３０の周方向に向けて開口する。第一の給水ホース５１の第一端は、給水ホース５０の第一端に相当する。
【００２３】
第二の給水ホース５２は、Ｌ字状に形成され、ドラム３０の外周面３０ｂに取り付けられている。第二の給水ホース５２の第一端は、ドラム３０の周方向に向けて開口し、第一の給水ホース５１の第二端が接続されている。第二の給水ホース５２の第二端側の開口部５２ａは、ドラム３０の軸線３０ａの方向に沿って左方向に向けて開口する。第二の給水ホース５２の第二端は、第三の給水ホース５３の第一端が接続されている。
【００２４】
第三の給水ホース５３は、Ｌ字状に形成され、ノズル６０が後述する第二位置Ｐ２に位置する場合（図１参照）、長手方向が上下方向に沿って延びるように配置されている。第三の給水ホース５３の第一端は、第二の給水ホース５２の第二端に接続されている。第三の給水ホース５３の第二端は、第四の給水ホース５４の第一端に接続されている。
【００２５】
第四の給水ホース５４は、Ｌ字状に形成され、ドラム３０の左側面に取り付けられている。第四の給水ホース５４の第一端は、ドラム３０の径方向外側に向けて開口し、第三の給水ホース５３の第二端が接続されている。第四の給水ホース５４の第二端側の開口部５４ａは、ドラム３０の軸線３０ａに沿う方向に向けて開口するように設けられている。第四の給水ホース５４の第二端側の開口部５４ａは、具体的には、ドラム３０の軸線３０ａの方向に沿って左方に向けて開口する。
【００２６】
また、第四の給水ホース５４の第二端側の開口部５４ａは、ドラム３０の軸線３０ａ上に位置するように設けられている。第四の給水ホース５４の第二端には、後述する洗浄水路Ｌが接続されている。
【００２７】
第一の給水ホース５１の第二端側から第四の給水ホース５４の第二端側までが、給水ホース５０の第二端側に相当する。第二の給水ホース５２が外周面３０ｂに取り付けられていることにより、給水ホース５０の第二端側が外周面３０ｂに接続される。また、第四の給水ホース５４の第二端側の開口部５４ａは、給水ホース５０の第二端側の開口部５０ａに相当する。
【００２８】
また、給水ホース５０の第二端側に相当する第二の給水ホース５２、第三の給水ホース５３および第四の給水ホース５４は、ドラム３０の外周面３０ｂに接続された位置からドラム３０の軸線３０ａ上の位置まで延びるように配置されている延長部である。
【００２９】
ノズル６０は、図１、図３および図４に示すように、第一方向Ｄ１に沿って延びる中空の円柱状に形成されている。ノズル６０は、後側から給水ホース５０を介して内部に洗浄水を導入し、噴出穴６１から洗浄水を噴出する。噴出穴６１は、ノズル６０の先端部に上方に向けて開口するように設けられ、内部と連通する貫通穴である。
【００３０】
ノズル６０は、第一位置Ｐ１と第一位置Ｐ１より後方の第二位置Ｐ２との間を移動可能に設けられ、第一位置Ｐ１に位置する場合に洗浄水を噴出するものである。第一位置Ｐ１は、少なくとも噴出穴６１が本体部３から外部に露出するノズル６０の位置である（図４および図５参照）。第二位置Ｐ２は、ノズル６０の全部が本体部３に収納されるノズル６０の位置である。第二位置Ｐ２は、具体的には、第一位置Ｐ１から第一方向Ｄ１に沿って後方に位置する。
【００３１】
ノズル６０は、ガイド部１２の内側に第一方向Ｄ１に移動可能に配置されている。ノズル６０の外周面は、ガイド部１２の内周面と第一方向Ｄ１に沿って摺動可能に設けられている。
【００３２】
次に、上述したノズル装置１が適用された局部洗浄装置２について説明する。局部洗浄装置２は、図５に示すように、腰掛式便器Ｂの上面に取り付けられ、人体の局部を洗浄するものである。
【００３３】
局部洗浄装置２は、本体部３、便座４および便座４を覆う便蓋５を備えている。便座４および便蓋５は、本体部３に回動可能に支持されている。本体部３には、図６に示すように、洗浄水路Ｌ、給水弁６、加熱装置７、流量調整弁８、制御装置９およびノズル装置１が収容されている。
【００３４】
洗浄水路Ｌは、給水弁６とノズル装置１とを接続し、洗浄水が流れる流路である。洗浄水路Ｌは、例えば管状のホースである。洗浄水路Ｌには、加熱装置７および流量調整弁８が配置されている。
【００３５】
給水弁６は、給水源Ｓ（例えば水道配管）と分岐栓Ｓａおよび接続ホースＨを介して接続され、洗浄水路Ｌに洗浄水を導入するものである。給水弁６は、通電されている場合に開状態となることにより洗浄水を流通させ、非通電である場合に閉状態となることにより洗浄水の流れを規制するノーマルクローズ型の電磁弁である。
【００３６】
加熱装置７は、洗浄水を加熱するものである。加熱装置７は、洗浄水を貯留して、洗浄水の温度が所定温度（例えば３９℃）となるように洗浄水を加熱する。加熱装置７は、通電されることにより洗浄水を加熱するヒータ（図示なし）が配置されている。流量調整弁８は、洗浄水の流量（単位時間あたりの流量）を所定流量（例えば９００ｍＬ／分）に調整するものである。すなわち、ノズル装置１には、所定温度に加熱され、所定流量に調整された洗浄水が洗浄水路Ｌから導入される。
【００３７】
制御装置９は、局部洗浄装置２を統括制御するものである。制御装置９は、給水弁６、加熱装置７のヒータ、流量調整弁８およびノズル装置１のモータ２０と電線Ｗによって電気的に接続され、制御指令値を出力する。
【００３８】
次に、上述したノズル装置１において、ノズル６０が第二位置Ｐ２から第一位置Ｐ１に移動して、洗浄水を噴出する動作について説明する。局部洗浄装置２が洗浄を行っていない待機状態である場合、図１に示すように、ノズル６０が第二位置Ｐ２に位置し、ベルト４０および給水ホース５０（第一の給水ホース５１）がドラム３０の外周面３０ｂに、およそ半周に亘って巻き付いた状態にある。またこの場合、給水弁６が閉状態であり、加熱装置７にて貯留された洗浄水の温度がおよそ所定温度に維持されている。
【００３９】
局部洗浄装置２が待機状態である場合に、洗浄を行うためのスイッチ（図示なし）がオンされたとき、制御装置９は、モータ２０を第二回転方向Ｗ２に回転させる。これにより、ドラム３０ひいてはピニオン部３４が第二回転方向Ｗ２に回転するため、ピニオン部３４と噛み合うラック部４１ひいてはベルト４０がドラム３０から繰り出される。このため、ノズル６０は、ベルト４０に押圧され、かつ、ガイド部１２に案内されて、第二位置Ｐ２から第一位置Ｐ１に向けて移動する。
【００４０】
このとき、ノズル６０に接続された給水ホース５０（第一の給水ホース５１）が、ノズル６０の移動によって引っ張られること、および、ドラム３０の第二回転方向Ｗ２への回転によって、ドラム３０の外周面３０ｂから繰り出される。そして、ノズル６０が第一位置Ｐ１に位置した場合（図４参照）、制御装置９は、モータ２０の回転を停止し、ドラム３０の回転を停止させる。
【００４１】
このように、ノズル６０が第二位置Ｐ２に位置する場合に、モータ２０によってドラム３０が第二回転方向Ｗ２に回転することにより、ベルト４０および給水ホース５０がドラム３０から繰り出され、ノズル６０が第二位置Ｐ２から第一位置Ｐ１に向けて移動する。
【００４２】
さらに、制御装置９は、具体的には、給水弁６を開状態とし、洗浄水の流量が所定流量となるように、流量調整弁８を調整する。これにより、洗浄水が給水弁６から洗浄水路Ｌを介して、ノズル装置１の給水ホース５０に導入する。洗浄水が給水ホース５０を介してノズル６０に導入され、噴出穴６１から噴出し、洗浄が行われる。
【００４３】
次に、ノズル装置１において、洗浄水の噴出が停止され、ノズル６０が第一位置Ｐ１から第二位置Ｐ２に移動する動作について説明する。上述した洗浄が行われているときに、洗浄を停止させるスイッチ（図示なし）がオンされた場合、制御装置９は、給水弁６を閉状態とする。これにより、洗浄水路Ｌへの洗浄水の導入が規制され、噴出穴６１からの洗浄水の噴出が停止する。
【００４４】
さらに、制御装置９は、モータ２０を第一回転方向Ｗ１に回転させる。これにより、ドラム３０ひいてはピニオン部３４が第一回転方向Ｗ１に回転するため、ピニオン部３４と噛み合うラック部４１ひいてはベルト４０がドラム３０の外周面３０ｂに巻き取られる。このため、ノズル６０は、ベルト４０に引っ張れ、かつ、ガイド部１２に案内されて、第一位置Ｐ１から第二位置Ｐ２に向けて移動する。
【００４５】
このとき、給水ホース５０がドラム３０の第一回転方向Ｗ１への回転によって、ドラム３０の外周面３０ｂに巻き取られる。そして、ノズル６０が第二位置Ｐ２に位置した場合（図１参照）、制御装置９は、モータ２０の回転を停止し、ドラム３０の回転を停止させる。
【００４６】
このように、ノズル６０が第一位置Ｐ１に位置する場合に、モータ２０によってドラム３０が第一回転方向Ｗ１に回転することにより、ベルト４０および給水ホース５０がドラム３０の外周面３０ｂに巻き取られ、ノズル６０が第一位置Ｐ１から第二位置Ｐ２に向けて移動する。
【００４７】
本実施形態によれば、局部洗浄装置２のノズル装置１は、給水源Ｓから導入された洗浄水を噴出することにより人体の局部を洗浄する。局部洗浄装置２のノズル装置１は、第一位置Ｐ１と第一位置Ｐ１より後方の第二位置Ｐ２との間を移動可能に設けられ、第一位置Ｐ１に位置する場合に洗浄水を噴出するノズル６０と、円柱状に形成され、軸線３０ａの周りに第一回転方向Ｗ１および第一回転方向Ｗ１と反対方向の第二回転方向Ｗ２に回転可能に設けられたドラム３０と、ドラム３０を回転させるモータ２０と、帯状に形成され、第一端側がノズル６０に接続され、かつ、第二端側がドラム３０の外周面３０ｂに接続されるとともに、ドラム３０が第一回転方向Ｗ１に回転した場合にドラム３０の外周面３０ｂに巻き取られ、ドラム３０が第二回転方向Ｗ２に回転した場合にドラム３０の外周面３０ｂから繰り出されるように配置されたベルト４０と、管状に形成され、第一端側がノズル６０に接続され、かつ、第二端側がドラム３０の外周面３０ｂに接続されるとともに、ドラム３０が第一回転方向Ｗ１に回転した場合にドラム３０の外周面３０ｂに巻き取られ、ドラム３０が第二回転方向Ｗ２に回転した場合にドラム３０の外周面３０ｂから繰り出されるように配置され、給水源Ｓから導入された洗浄水をノズル６０に供給する給水ホース５０と、を備えている。
【００４８】
これによれば、ドラム３０が第一回転方向Ｗ１に回転した場合、ベルト４０および給水ホース５０がドラム３０の外周面３０ｂに巻き取られる。一方、ドラム３０が第二回転方向Ｗ２に回転した場合、ベルト４０および給水ホース５０がドラム３０の外周面３０ｂから繰り出される。すなわち、ノズル６０が第一位置Ｐ１と第二位置Ｐ２との間を移動する場合におけるベルト４０の動きと給水ホース５０の動きとが同様であることにより、ベルト４０の収納方法と給水ホース５０の収納方法とを同様にできるため、ドラム３０の形状を簡素化することができる。よって、局部洗浄装置２のノズル装置１において、構造の簡素化を図ることができる。
【００４９】
また、モータ２０がドラム３０の内側に配置されているため、ノズル装置１の小型化を図ることができる。
【００５０】
また、給水ホース５０の第二端側の開口部５０ａは、ドラム３０の軸線３０ａに沿う方向に向けて開口するように設けられている。
これによれば、ノズル装置１の側方から、給水ホース５０への洗浄水の供給を簡便に行うことができる。
【００５１】
また、給水ホース５０の第二端側は、ドラム３０の外周面３０ｂに接続された位置からドラム３０の軸線３０ａ上の位置まで延びる第二の給水ホース５２、第三の給水ホースおよび第四の給水ホース５４を有している。給水ホース５０の第二端側の開口部５０ａは、ドラム３０の軸線３０ａ上に位置するように設けられている。
【００５２】
これによれば、ドラム３０が軸線３０ａの周りに回転した場合においても、給水ホース５０の第二端側の開口部５０ａの位置がドラム３０の周方向に移動しない。よって、開口部５０ａが軸線３０ａから離れた位置に位置する場合に比べて、洗浄水路Ｌが動く範囲を制限することができるため、ノズル装置１の側方（本実施形態において左方）の空間を有効に活用することができる。
【００５３】
また、ドラム３０の外周面３０ｂには、歯車であるピニオン部３４が一体に形成されている。ベルト４０には、ピニオン部３４と噛み合うラック部４１が形成されている。
これによれば、ラックアンドピニオン機構によって、ノズル６０を確実に移動させることができる。また、ピニオン部３４をドラム３０の外周面３０ｂに一体に形成することにより、ノズル装置１の部品点数の増加を抑制することができる。
【００５４】
なお、上述した実施形態において、ノズル装置の一例を示したが、本発明はこれに限定されず、他の構成を採用することもできる。例えば、給水ホース５０は、四つに分割されて構成されているが、一体に構成するようにしても良い。
【００５５】
また、上述した実施形態において、給水ホース５０の第二端側の開口部５０ａは、ドラム３０の軸線３０ａ上に位置しているが、これに代えて、給水ホース５０の第二端側の開口部５０ａを、ドラム３０の軸線３０ａから離れた位置に位置させるようにしても良い。例えば、給水ホース５０を第一の給水ホース５１および第二の給水ホース５２のみによって構成する。この場合、第二の給水ホース５２の第二端の開口部５２ａが給水ホース５０の第二端の開口部５０ａに相当し、給水ホース５０の第二端側の開口部５０ａは、ドラム３０の外周面３０ｂの外側にてドラム３０の左方に向けて開口するとともに、洗浄水路Ｌに接続される。
【００５６】
また、上述した実施形態において、ベルト４０は樹脂材料製であるが、これに代えて、ベルト４０を金属製にしても良い。この場合、ラック部４１およびピニオン部３４を構成しないようにしても良い。
【００５７】
また、上述した実施形態において、ドラム３０は、三つの側壁３１〜３３を備えているが、これに代えて、三つの側壁３１〜３３を備えないようにしても良い。また、三つの側壁３１〜３３のうち、何れか一つまたは何れか二つを備えるようにしても良い。
【００５８】
また、上述した実施形態において、ドラム３０の外周面３０ｂは、同一の円柱面上に配置されるように設けられているが、これに代えて、段差を設けるようにしても良い。例えば、外周面３０ｂにおいて、給水ホース５０が巻かれる部位の外径と、ベルト４０が巻かれる部位の外径とが異なるようにしても良い。
【００５９】
また、本発明の要旨を逸脱しない範囲において、ノズルベース１０、ノズル６０、ベルト４０およびドラム３０の形状、モータ２０の種類、ベルト４０の材料、第一方向Ｄ１、各回転方向Ｗ１，Ｗ２の向き、並びに、給水ホース５０の材料、形状および分割方法を変更するようにしても良い。
【符号の説明】
【００６０】
１…ノズル装置、２…局部洗浄装置、１０…ノズルベース、２０…モータ、３０…ドラム、３０ａ…軸線、３０ｂ…外周面、３４…ピニオン部、４０…ベルト、４１…ラック部、５０…給水ホース、５０ａ…給水ホースの第二端側の開口部、６０…ノズル、Ｄ１…第一方向、Ｐ１…第一位置、Ｐ２…第二位置、Ｓ…給水源、Ｗ１…第一回転方向、Ｗ２…第二回転方向。
【図１】
2019077993.tif 000003
【図２】
2019077993.tif 000004
【図３】
2019077993.tif 000005
【図４】
2019077993.tif 000006
【図５】
2019077993.tif 000007
【図６】
2019077993.tif 000008